(57)【特許請求の範囲】
【請求項１】
圧縮空気を生成するための圧縮機構と、
前記圧縮機構を駆動させて生成した圧縮空気を貯留するためのタンクと、
前記タンク内の圧力を検出する圧力検出手段と、
前記圧力検出手段が検出した前記タンク内の圧力値を取得して圧力データを生成する圧力データ生成手段と、
前記圧力データ生成手段が生成した圧力データを基に表示用の圧力値を生成する表示値生成手段と、
前記表示値生成手段が生成した表示用の圧力値を表示する表示手段と、
を備え、
前記表示値生成手段は、圧力データを所定の桁数で切り上げまたは切り捨てすることで前記タンク内の圧力値の上昇中と下降中とで前記表示用の圧力値の生成方法を変えたことを特徴とする、空気圧縮機。
【請求項２】
前記表示値生成手段は、前記タンク内の圧力値が上昇中においては、前記圧力データ生成手段が生成した圧力データを所定の桁数で切り捨てて前記表示用の圧力値を生成するとともに、前記タンク内の圧力値が下降中においては、前記圧力データ生成手段が生成した圧力データを前記所定の桁数で切り上げて前記表示用の圧力値を生成することを特徴とする、請求項１記載の空気圧縮機。
【請求項３】
前記表示値生成手段は、前記圧力データ生成手段が生成した圧力データを前記表示用の圧力値と比較することで、前記タンク内の圧力値が上昇中又は下降中であることを判断することを特徴とする、請求項１又は２記載の空気圧縮機。
【請求項４】
前記タンク内の圧力が所定の圧力値にまで達したときに前記圧縮機構の駆動を停止させる駆動制御手段を備え、
前記表示値生成手段は、前記駆動制御手段が前記圧縮機構の駆動を停止させている場合には、前記所定の圧力値を前記表示用の圧力値とすることを特徴とする、請求項１〜３のいずれかに記載の空気圧縮機。
【請求項５】
前記圧力データ生成手段は、前記圧力検出手段から所定の周期で前記タンク内の圧力値を取得し、この圧力値を平均化して圧力データを生成することを特徴とする、請求項１〜４のいずれかに記載の空気圧縮機。
【請求項６】
前記表示手段は、前記表示用の圧力値をデジタル表示することを特徴とする、請求項１〜５のいずれかに記載の空気圧縮機。
【発明の詳細な説明】
【技術分野】
【０００１】
この発明は、空気圧縮機に関し、特に、タンクの圧力表示に特徴を有する空気圧縮機に関するものである。
【背景技術】
【０００２】
一般に、空気圧縮機は、モーター駆動の圧縮ピストンをシリンダ内で往復動させ、これによってシリンダ内に導入された空気を圧縮し、シリンダ内で圧縮された圧縮空気がタンクに送られて貯留されるものである。
【０００３】
こうした空気圧縮機として、タンク内の空気圧力を表示する手段を備えたものが提案されている。
【０００４】
例えば、特許文献１には、発光ダイオード（ＬＥＤ）を点灯させてタンク圧力を表示するようにした空気圧縮機が開示されている。
【先行技術文献】
【特許文献】
【０００５】
【特許文献１】特許第４１６６０２２号公報
【発明の概要】
【発明が解決しようとする課題】
【０００６】
しかし、上記した特許文献１記載の空気圧縮機では、発光ダイオードを使った表示であるため、発光ダイオードの数を多くしないと精度が出ないという問題があった。そして、精度のために発光ダイオードの数を多くすれば、発光ダイオードの数が多くなり、表示スペースが大きくなったり、分かりにくくなったりするなどの問題があった。
【０００７】
この問題を解決する手段としては、アナログ圧力計による圧力表示を行うことが考えられる。アナログ圧力計による圧力表示を行えば、ダイレクトに圧力を表示できるので、精度や表示スペースの問題は発生しない。しかしながら、アナログ圧力計を用いた場合には、コンプレッサの振動により目盛が揺れて正確に読めない、振動による誤表示があるなどの問題があった。
【０００８】
この問題を解決する手段としては、圧力値をデジタル表示させることが考えられる。圧力値をデジタル表示させる場合、閾値によって表示を切り替えることが一般的である。例えば、圧力計測値が１．２９９ＭＰａの場合は１．２ＭＰａと表示し、圧力計測値が１．３００ＭＰａを超えたときに１．３ＭＰａに表示が切り替わるようにすることが一般的である。しかし、この方式では空気圧縮機に接続した工具（釘打ち機など）を使用するたびに発生する圧力変動が圧力表示に反映されてしまい、頻繁に表示が切り替わってチラつきが発生することがある。
【０００９】
この切り替えが起きないようにするためには、所定の期間内で平均化した圧力計測値を用いるとともに、この所定の期間を長めに設定することが考えられる。このようにある程度の長い検査対象期間で平均化した値を使用すれば、一時的な圧力変動が均されて検出されないため、頻繁に表示が切り替わることは防止することができる。しかしながら、この方法は圧力検出の応答性や精度を犠牲にするものであるため、表示情報の信頼性にかけるという問題が発生する。
【００１０】
そこで本発明は、圧力値をデジタル(数値)表示させる機能を空気圧縮機に持たせるとともに、微細な圧力変動によるチラつきを抑え、しかも表示の信頼性を損なうことがない空気圧縮機を提供することを課題とする。
【課題を解決するための手段】
【００１１】
本発明は、上記した課題を解決するためになされたものであり、以下を特徴とする。
【００１２】
（請求項１）
請求項１に記載の発明は、以下の点を特徴とする。
【００１３】
すなわち、請求項１に記載の空気圧縮機は、圧縮空気を生成するための圧縮機構と、前記圧縮機構を駆動させて生成した圧縮空気を貯留するためのタンクと、前記タンク内の圧力を検出する圧力検出手段と、前記圧力検出手段が検出した前記タンク内の圧力値を取得して圧力データを生成する圧力データ生成手段と、前記圧力データ生成手段が生成した圧力データを基に表示用の圧力値を生成する表示値生成手段と、前記表示値生成手段が生成した表示用の圧力値を表示する表示手段と、を備え、前記表示値生成手段は、圧力データを所定の桁数で切り上げまたは切り捨てすることで前記タンク内の圧力値の上昇中と下降中とで前記表示用の圧力値の生成方法を変えたことを特徴とする。
【００１４】
（請求項２）
請求項２に記載の発明は、上記した請求項１記載の発明の特徴点に加え、以下の点を特徴とする。
【００１５】
すなわち、前記表示値生成手段は、前記タンク内の圧力値が上昇中においては、前記圧力データ生成手段が生成した圧力データを所定の桁数で切り捨てて前記表示用の圧力値を生成するとともに、前記タンク内の圧力値が下降中においては、前記圧力データ生成手段が生成した圧力データを前記所定の桁数で切り上げて前記表示用の圧力値を生成することを特徴とする。
【００１６】
（請求項３）
請求項３に記載の発明は、上記した請求項１又は２記載の発明の特徴点に加え、以下の点を特徴とする。
【００１７】
すなわち、前記表示値生成手段は、前記圧力データ生成手段が生成した圧力データを前記表示用の圧力値と比較することで、前記タンク内の圧力値が上昇中又は下降中であることを判断することを特徴とする。
【００１８】
（請求項４）
請求項４に記載の発明は、上記した請求項１〜３のいずれかに記載の発明の特徴点に加え、以下の点を特徴とする。
【００１９】
すなわち、前記タンク内の圧力が所定の圧力値にまで達したときに前記圧縮機構の駆動を停止させる駆動制御手段を備え、前記表示値生成手段は、前記駆動制御手段が前記圧縮機構の駆動を停止させている場合には、前記所定の圧力値を前記表示用の圧力値とすることを特徴とする。
【００２０】
（請求項５）
請求項５に記載の発明は、上記した請求項１〜４のいずれかに記載の発明の特徴点に加え、以下の点を特徴とする。
【００２１】
すなわち、前記圧力データ生成手段は、前記圧力検出手段から所定の周期で前記タンク内の圧力値を取得し、この圧力値を平均化して圧力データを生成することを特徴とする。
（請求項６）
請求項６に記載の発明は、上記した請求項１〜５のいずれかに記載の発明の特徴点に加え、以下の点を特徴とする。
すなわち、前記表示手段は、前記表示用の圧力値をデジタル表示することを特徴とする。
【発明の効果】
【００２２】
本発明は上記の通りであり、表示値生成手段は、タンク内の圧力値の上昇中と下降中とで表示用の圧力値の生成方法を変えている。
【００２３】
例えば、表示値生成手段は、タンク内の圧力値が上昇中においては、圧力データ生成手段が生成した圧力データを所定の桁数で切り捨てて表示用の圧力値を生成するとともに、タンク内の圧力値が下降中においては、圧力データ生成手段が生成した圧力データを所定の桁数で切り上げて表示用の圧力値を生成する。このため、微細な圧力変動によるチラつきを抑え、しかも表示の信頼性を損なうことがない。
【００２４】
なお、タンク内の圧力値が上昇中又は下降中であることの判断は、前記圧力データ生成手段が生成した圧力データと前記表示用の圧力値とを比較することによって行ってもよい。例えば、前記圧力データ生成手段が生成した圧力データが、前記表示用の圧力値よりも低い場合に、前記タンク内の圧力値が下降中であると判断するようにしてもよい。
【００２５】
また、前記タンク内の圧力が所定の圧力値にまで達したときに前記圧縮機構の駆動を停止させる駆動制御手段を備え、前記表示値生成手段は、前記駆動制御手段が前記圧縮機構の駆動を停止させている場合には、前記所定の圧力値を前記表示用の圧力値とするようにすれば、温度変化等で圧力値が変化したとしても表示用の圧力値が変動しないので、ユーザーがエアー漏れしていると誤認することを防止できる。すなわち、モーターが停止した状態で圧縮空気を消費していないにも関わらず温度変化等で圧力値が変化すると、ユーザーはエアー漏れしていると誤認する可能性があるが、この場合でも実際の圧力値にかかわりなく表示用の圧力値が変動しないので、ユーザーがエアー漏れしていると誤認することを防止できる。
【００２６】
また、前記圧力データ生成手段は、前記圧力検出手段から所定の周期で前記タンク内の圧力値を取得し、この圧力値を平均化して圧力データを生成するようにしてもよい。複数回取得した圧力値を平均化することで、一時的な圧力変動が表示に反映されることを防止できる。
【図面の簡単な説明】
【００２７】
【図１】空気圧縮機のブロック図である。
【図２】圧力データ生成処理のフロー図である。
【図３】表示値生成処理のフロー図である。
【図４】表示値の変動を説明するための図である。
【図５】モードごとのＯＦＦ圧を説明する表である。
【発明を実施するための形態】
【００２８】
本実施形態に係る空気圧縮機は、特に図示しないが、圧縮空気を生成するための圧縮機構１２と、前記圧縮機構１２を駆動させて生成した圧縮空気を貯留するためのタンクと、を備えている。
【００２９】
圧縮機構１２は、モーター駆動の圧縮ピストンをシリンダ内で往復動させるものであり、これによってシリンダ内に導入された空気を圧縮するものである。このようにシリンダ内で圧縮された圧縮空気はタンクに送られて貯留される。
【００３０】
この空気圧縮機の動作は、空気圧縮機に内蔵された制御装置１００（図１参照）によって制御される。
【００３１】
この制御装置１００は、特に図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、各種の入力装置及び出力装置を制御するように構成されている。
【００３２】
（入力装置）
制御装置１００の入力装置としては、図１に示すように、圧力検出手段１１が設けられている。なお、入力装置としては、この図１に示す入力装置に限定されず、他の入力装置を備えていてもよい。
【００３３】
（圧力検出手段１１）
圧力検出手段１１は、タンク内の圧力を検出するためのものであり、具体的にはタンク内に設けられた圧力センサである。この圧力センサで計測された圧力値は、制御装置１００に信号として出力され、処理される。
【００３４】
（出力装置）
制御装置１００の出力装置としては、図１に示すように、圧縮機構１２と表示手段１３とが設けられている。なお、出力装置としては、この図１に示す出力装置に限定されず、他の出力装置を備えていてもよい。
【００３５】
（圧縮機構１２）
圧縮機構１２は、上述したように、モーター駆動の圧縮ピストンをシリンダ内で往復動させるものである。この圧縮機構１２は、モーターが制御装置１００によって駆動制御されることで、圧縮動作を開始したり停止したりするように形成されている。
【００３６】
（表示手段１３）
表示手段１３は、圧力値をデジタル表示するためのものである。本実施形態においては、２桁の７セグメントディスプレイが用いられており、ＭＰａ（メガパスカル）単位で、０．０〜９．９までの数値を表示できるようになっている。
【００３７】
（制御装置１００）
次に、制御装置１００について詳述する。
【００３８】
制御装置１００は、上記した各種装置を制御するものであり、駆動制御手段１１０、圧力データ生成手段１２０、表示値生成手段１３０、などの各手段として機能する。
【００３９】
なお、制御装置１００としては、上記した各手段に限定されるものではなく、他の手段を含んでいても良い。
【００４０】
（駆動制御手段１１０）
駆動制御手段１１０は、モーターの駆動を制御することにより、圧縮機構１２の作動を制御するためのプログラムである。この駆動制御手段１１０は、圧力検出手段１１が検出したタンク内の空気圧力を参照し、タンク内の空気圧力が適切な圧力となるように圧縮機構１２の作動をＯＮ／ＯＦＦする。
【００４１】
具体的には、図５に示すように、圧縮機構１２の駆動を開始させるためのＯＮ圧と、圧縮機構１２の駆動を停止させるためのＯＦＦ圧とが予め決められており、駆動制御手段１１０は、圧力検出手段１１が検出したタンク内の空気圧力がこのＯＮ圧またはＯＦＦ圧に到達したか否かを判定し、到達した場合に圧縮機構１２の作動をＯＮ／ＯＦＦする。
【００４２】
なお、本実施形態に係る空気圧縮機は、「常圧内装モード」「高圧内装モード」「高圧下地モード」「根太レスモード」の４つの作動モードを備えており、それぞれの動作モードごとにＯＮ圧及びＯＦＦ圧が異なるように設定されている。
【００４３】
例えば、「常圧内装モード」においては、駆動制御手段１１０は、タンク内の圧力が１
．５ＭＰａになるまで圧縮機構１２を駆動させ、１．５ＭＰａ（ＯＦＦ圧）に到達したら圧縮機構１２の駆動を停止する。その後、タンク内の圧縮空気が使用され、タンク内の圧力が１．１ＭＰａ（ＯＮ圧）に到達したら、タンク内の圧力が１．５ＭＰａ（ＯＦＦ圧）になるまで再度圧縮機構１２を駆動させることを繰り返す。
【００４４】
（圧力データ生成手段１２０）
圧力データ生成手段１２０は、前記圧力検出手段１１が検出したタンク内の圧力値を取得して圧力データを生成するプログラムである。
【００４５】
図２は、この圧力データ生成手段１２０が圧力データを生成する処理を説明するフロー図である。以下、この図２のフローを参照しつつ圧力データ生成処理について説明する。
【００４６】
まず、図２に示すステップＳ１００において、所定のタイミングごと（ここでは４０ｍｓごと）に割り込みが発生し、圧力データ生成処理が開始する。そして、ステップＳ１０１に進む。
【００４７】
ステップＳ１０１では、圧力データ生成手段１２０が圧力検出手段１１から圧力値を取得する。取得した圧力値は、圧力合計値に加算されて保持される。また、取得カウントを１カウントアップする。そして、ステップＳ１０２に進む。
【００４８】
ステップＳ１０２では、取得カウントが所定の数（ここでは３２）であるかがチェックされる。取得カウントが３２の場合には、ステップＳ１０３へ進む。一方、取得カウントが３２以下の場合には、ステップＳ１００に戻り、４０ｍｓごとに発生する割り込みを待機する。
【００４９】
ステップＳ１０３では、合算した圧力合計値を３２で割ることで、圧力検出手段１１から取得した圧力値を平均化し、圧力データを作成する。作成した圧力データは表示値生成手段１３０が参照可能なようにメモリに記憶される。そして、ステップＳ１０４に進む。
【００５０】
ステップＳ１０４では、取得カウントおよび圧力合計値を０にリセットする。その後ステップＳ１００に戻り、４０ｍｓごとに発生する割り込みを待機する。
【００５１】
（表示値生成手段１３０）
表示値生成手段１３０は、前記圧力データ生成手段１２０が生成した圧力データを基に表示用の圧力値を生成するプログラムである。この表示値生成手段１３０は、前記タンク内の圧力値が上昇中（又は変化なし）においては、前記圧力データ生成手段１２０が生成した圧力データを所定の桁数（ＭＰa（メガパスカル）の小数点第１位）で切り捨てて前記表示用の圧力値を生成するとともに、前記タンク内の圧力値が下降中においては、前記圧力データ生成手段１２０が生成した圧力データを前記所定の桁数（ＭＰa（メガパスカル）の小数点第１位）で切り上げて前記表示用の圧力値を生成する。
【００５２】
なお、タンク内の圧力値が上昇中又は下降中であるかの判断は、前記圧力データ生成手段１２０が生成した圧力データと表示用の圧力値とを比較することで行っている。具体的には、表示値生成手段１３０は、前記圧力データ生成手段１２０が生成した圧力データが前記表示用の圧力値よりも低い場合には前記タンク内の圧力値が下降していると判断し、一方、前記圧力データ生成手段１２０が生成した圧力データが前記表示用の圧力値よりも低くない場合には前記タンク内の圧力値が上昇している（又は変化なし）と判断する。
【００５３】
また、この表示値生成手段１３０は、前記駆動制御手段１１０が前記圧縮機構１２の駆動を停止させている場合には、現在の動作モードのＯＦＦ圧値を前記表示用の圧力値に設定する。
【００５４】
このように決定された表示用の圧力値は、表示手段１３によって表示され、ユーザーが確認できるようになる。
【００５５】
図３は、この表示値生成手段１３０による表示値生成処理を説明するフロー図である。以下、この図３のフローを参照しつつ表示値生成処理について説明する。
【００５６】
まず、図３に示すステップＳ２００において、所定のタイミングごと（ここでは１０ｍｓごと）に割り込みが発生し、表示値生成処理が開始する。そして、ステップＳ２０１に進む。
【００５７】
ステップＳ２０１では、エラーが発生しているかがチェックされる。エラーが発生している場合には、ステップＳ２０２に進み、エラー値を表示用の圧力値に設定する。これにより、表示手段１３にはエラー値が表示され、エラーが起きたことをユーザーが確認できる。その後、ステップＳ２００に戻り、１０ｍｓごとに発生する割り込みを待機する。
【００５８】
一方、エラーが発生していない場合には、ステップＳ２０３に進み、圧縮機構１２が駆動停止中であるか（すなわち、タンク内の圧力がＯＮ圧とＯＦＦ圧との間であるために駆動制御手段１１０が圧縮機構１２の駆動を停止しているか）がチェックされる。圧縮機構１２が駆動停止中の場合には、ステップＳ２０４に進み、現在の動作モードのＯＦＦ圧値を前記表示用の圧力値に設定する。これにより、表示手段１３には現在の動作モードのＯＦＦ圧値が表示される。このため、圧縮機構１２が駆動停止中における表示手段１３の表示圧力が一定となり、モーターが停止した状態で圧縮空気を消費していないにも関わらず温度変化等で圧力値が変化した場合でも実際の圧力値にかかわりなく表示圧力が変動しないので、ユーザーがエアー漏れしていると誤認することを防止できる。その後、ステップＳ２００に戻り、１０ｍｓごとに発生する割り込みを待機する。
【００５９】
一方、圧縮機構１２が駆動停止中でない場合には、ステップＳ２０５に進む。ステップＳ２０５では、圧力データ生成手段１２０から圧力データを取得し、この圧力データを現在表示中の圧力と比較することで、タンク内の圧力値が下降しているか否かを判定する。すなわち、現在表示中の圧力は所定の桁数（ＭＰa（メガパスカル）の小数点第１位）で切り上げまたは切り捨てされているが、この切り上げまたは切り捨てされた値と圧力データとを比較することで、タンク内の圧力値が下降しているか否かを判定する。
【００６０】
そして、圧力データが現在表示中の圧力よりも低い場合には、ステッ２０６に進み、下降フラグをＯＮにセットし、ステップＳ２０８に進む。
【００６１】
一方、圧力データが現在表示中の圧力よりも低くない場合には、ステッ２０７に進み、下降フラグをＯＦＦにセットし、ステップＳ２０８に進む。
【００６２】
ステップＳ２０８では、下降フラグをチェックして、タンク内の圧力値が上昇中（又は変化なし）であるか下降中であるかを判断する。そして、下降フラグがＯＦＦの場合にはタンク内の圧力値が上昇中（又は変化なし）であると判断し、圧力データ生成手段１２０が生成した圧力データを所定の桁数（ＭＰa（メガパスカル）の小数点第１位）で切り捨てて表示用の圧力値を生成する。一方、下降フラグがＯＮの場合にはタンク内の圧力値が下降中であると判断し、圧力データ生成手段１２０が生成した圧力データを所定の桁数（ＭＰa（メガパスカル）の小数点第１位）で切り上げて表示用の圧力値を生成する。このように生成された表示用の圧力値は、表示手段１３に送信されて表示される。その後、ステップＳ２００に戻り、１０ｍｓごとに発生する割り込みを待機する。
【００６３】
次に、図４を参照しつつ、上記した表示値生成処理によって表示手段１３にどのような圧力値が表示されるかを具体的に説明する。なお、図４の縦軸は圧力値（ＭＰａ）を示し、図４の横軸は時間の経過を示している。
【００６４】
まず、図４の（１）においては、タンク内の圧力値が上昇中（又は変化なし）のため下降フラグがＯＦＦにセットされ、表示値生成手段１３０は、圧力データ生成手段１２０が生成した圧力データを切り捨てて表示用の圧力値を生成する。この例では、圧力データが１．１ＭＰａ以上かつ１．２ＭＰａ未満であるため、切り捨てた結果の表示用の圧力値は１．１ＭＰａとなり、この値が表示手段１３に表示される。
【００６５】
図４の（２）は圧力データが１．２ＭＰａを超えた状態である。このとき、下降フラグはＯＦＦにセットされたままであるので、表示値生成手段１３０は、圧力データ生成手段１２０が生成した圧力データを切り捨てて表示用の圧力値を生成する。圧力データが１．２ＭＰａ以上かつ１．３ＭＰａ未満であるため、切り捨てた結果の表示用の圧力値は１．２ＭＰａとなり、この値が表示手段１３に表示される。
【００６６】
図４の（３）は圧力データが１．２ＭＰａ以上かつ１．３ＭＰａ未満の範囲で下降した状態である。この状態でも、下降フラグはＯＦＦにセットされたままであるので、表示値生成手段１３０は、圧力データ生成手段１２０が生成した圧力データを切り捨てて表示用の圧力値を生成する。圧力データが１．２ＭＰａ以上かつ１．３ＭＰａ未満であるため、切り捨てた結果の表示用の圧力値は１．２ＭＰａとなり、この値が表示手段１３に表示される。
【００６７】
図４の（４）は圧力データが１．２ＭＰａ以下に低下した状態である。１．２ＭＰａ以下となると、現在表示中の１．２ＭＰａよりも圧力データが低くなるので、下降フラグがＯＮにセットされる。すなわち、タンク内の圧力値が下降中と判断されるため、表示値生成手段１３０は、圧力データ生成手段１２０が生成した圧力データを切り上げて表示用の圧力値を生成する。圧力データが１．１ＭＰａ以上かつ１．２ＭＰａ未満であるため、切り上げた結果の表示用の圧力値は１．２ＭＰａとなり、この値が表示手段１３に表示される。
【００６８】
図４の（５）は圧力データが１．１ＭＰａ以上かつ１．２ＭＰａ未満の範囲で上昇した状態である。この状態でも、下降フラグはＯＮにセットされたままであるので、表示値生成手段１３０は、圧力データ生成手段１２０が生成した圧力データを切り上げて表示用の圧力値を生成する。圧力データが１．１ＭＰａ以上かつ１．２ＭＰａ未満であるため、切り上げた結果の表示用の圧力値は１．２ＭＰａとなり、この値が表示手段１３に表示される。
【００６９】
図４の（６）は圧力データが１．２ＭＰａを超えた状態である。圧力データが１．２ＭＰａを超えたので、現在表示中の１．２ＭＰａと同じ値となる。言い換えると、圧力データ生成手段１２０が生成した圧力データが表示用の圧力値よりも低い状態ではなくなったので、タンク内の圧力値が上昇している（又は変化なし）と判断し、下降フラグがＯＦＦにセットされる。このため、表示値生成手段１３０は、圧力データ生成手段１２０が生成した圧力データを切り捨てて表示用の圧力値を生成する。この例では、圧力データが１．２ＭＰａ以上かつ１．３ＭＰａ未満であるため、切り捨てて結果の表示用の圧力値は１．２ＭＰａとなり、この値が表示手段１３に表示される。
【００７０】
図４の（７）は圧力データが１．３ＭＰａを超えた状態である。このとき、下降フラグはＯＦＦにセットされたままであるので、表示値生成手段１３０は、圧力データ生成手段１２０が生成した圧力データを切り捨てて表示用の圧力値を生成する。圧力データが１．３ＭＰａ以上かつ１．４ＭＰａ未満であるため、切り捨てた結果の表示用の圧力値は１．３ＭＰａとなり、この値が表示手段１３に表示される。
【００７１】
図４の（８）は圧力データが１．３ＭＰａ以上かつ１．４ＭＰａ未満の範囲で下降した状態である。この状態でも、下降フラグはＯＦＦにセットされたままであるので、表示値生成手段１３０は、圧力データ生成手段１２０が生成した圧力データを切り捨てて表示用の圧力値を生成する。圧力データが１．３ＭＰａ以上かつ１．４ＭＰａ未満であるため、切り捨てた結果の表示用の圧力値は１．３ＭＰａとなり、この値が表示手段１３に表示される。
【００７２】
図４の（９）は圧力データが１．３ＭＰａ以下に低下した状態である。１．３ＭＰａ以下となると、現在表示中の１．３ＭＰａよりも圧力データが低くなるので、下降フラグがＯＮにセットされる。すなわち、タンク内の圧力値が下降中と判断されるため、表示値生成手段１３０は、圧力データ生成手段１２０が生成した圧力データを切り上げて表示用の圧力値を生成する。圧力データが１．２ＭＰａ以上かつ１．３ＭＰａ未満であるため、切り上げた結果の表示用の圧力値は１．３ＭＰａとなり、この値が表示手段１３に表示される。
【００７３】
図４の（１０）は圧力データが１．２ＭＰａ以上かつ１．３ＭＰａ未満の範囲で上昇した状態である。この状態でも、下降フラグはＯＮにセットされたままであるので、表示値生成手段１３０は、圧力データ生成手段１２０が生成した圧力データを切り上げて表示用の圧力値を生成する。圧力データが１．２ＭＰａ以上かつ１．３ＭＰａ未満であるため、切り上げた結果の表示用の圧力値は１．３ＭＰａとなり、この値が表示手段１３に表示される。
【００７４】
図４の（１１）は圧力データが１．３ＭＰａを超えた状態である。圧力データが１．３ＭＰａを超えたので、現在表示中の１．３ＭＰａと同じ値となる。言い換えると、圧力データ生成手段１２０が生成した圧力データが表示用の圧力値よりも低い状態ではなくなったので、タンク内の圧力値が上昇している（又は変化なし）と判断し、下降フラグがＯＦＦにセットされる。このため、表示値生成手段１３０は、圧力データ生成手段１２０が生成した圧力データを切り捨てて表示用の圧力値を生成する。この例では、圧力データが１
．３ＭＰａ以上かつ１．４ＭＰａ未満であるため、切り捨てて結果の表示用の圧力値は１
．３ＭＰａとなり、この値が表示手段１３に表示される。
【００７５】
以上のように、１．２ＭＰａや１．３ＭＰａの閾値を跨いで圧力データが変動した場合でも、表示手段１３に表示される圧力値は細かく変動せず、ある程度大きな圧力変化がなければ表示が一定するようになっている。このため、圧力データ生成手段１２０が生成する圧力データの精度を落とさなくても、微細な圧力変動による表示のチラつきを抑えることができる。
【００７６】
また、駆動モ−タの駆動が停止した時の表示値生成手段の制御以外に、駆動モ−タが駆動中の圧力値の変化量をとらえて表示値生成手段の制御を実施しても良い。
【００７７】
たとえば、エアーが消費されたことを圧力値の変化量Ｐでとらえる。その為に圧力値をサンプリング周期で計測し変化量Ｐを算出する。ある圧力値変化量Ｐが設定した閾値を超えた場合に現在の圧力値に表示を切り替える。ＯＦＦ圧からＯＮ圧の間で１段または複数段で表示切替を行うが、この段階は温度変化等でエアーを消費していないにも関わらず、圧力が変動する量を見込んで設定するようにしても良い。
【００７８】
（まとめ）
以上説明したように、本実施形態によれば、表示値生成手段１３０は、タンク内の圧力値が上昇中（又は変化なし）においては、圧力データ生成手段１２０が生成した圧力データを所定の桁数で切り捨てて表示用の圧力値を生成するとともに、タンク内の圧力値が下降中においては、圧力データ生成手段１２０が生成した圧力データを所定の桁数で切り上げて表示用の圧力値を生成する。このため、微細な圧力変動によるチラつきを抑え、しかも表示の信頼性を損なうことがない。
【符号の説明】
【００７９】
１１  圧力検出手段
１００  制御装置
１１０  駆動制御手段
１２０  圧力データ生成手段
１３０  表示値生成手段
１２  圧縮機構
１３  表示手段
【図１】
0005779999.tif 000002
【図２】
0005779999.tif 000003
【図３】
0005779999.tif 000004
【図４】
0005779999.tif 000005
【図５】
0005779999.tif 000006